(57)【特許請求の範囲】
【請求項１】
左右のレンズがブリッジにより連結され、蝶番を介してテンプルが回動自在に取付けられている眼鏡フレームであって、
前記蝶番は、前記レンズに設けられた貫通孔に係止する係止部を備える一方の側と、超弾性材料製の接続部材を介して前記テンプルに接続される他方の側とが相互に回動するものであり、
前記他方の側は、挿入孔を有する蝶番側固定部と該蝶番側固定部の外側に設けられる外枠とを備え、
前記接続部材の一端が前記蝶番側固定部の前記挿入孔に挿入されることによって前記接続部材が前記蝶番に接続され、
前記外枠が前記一方の側に延長されるとともに内側に湾曲され、前記テンプルを開いたときに、前記レンズの端部近傍において、前記外枠が前記係止部に当接することを特徴とする眼鏡フレーム。
【請求項２】
前記蝶番の他方の側が、前記蝶番側固定部とは別に、前記接続部材の一部を把持する蝶番側把持部を備えていることを特徴とする請求項１に記載の眼鏡フレーム。
【請求項３】
前記テンプルが、前記蝶番の側に挿入孔を有するテンプル側固定部を備え、前記接続部材の他端が前記テンプル側固定部の挿入孔に挿入されることにより、前記接続部材が前記テンプルに接続されることを特徴とする請求項１又は２に記載の眼鏡フレーム。
【請求項４】
前記テンプルが、前記テンプル側固定部とは別に、前記接続部材の一部を把持するテンプル側把持部を備えていることを特徴とする請求項３に記載の眼鏡フレーム。
【請求項５】
前記テンプルが芯金を備える樹脂製であり、前記テンプル側固定部及び前記テンプル側把持部が前記芯金に接続されていることを特徴とする請求項４に記載の眼鏡フレーム。
【発明の詳細な説明】
【技術分野】
【０００１】
本発明は眼鏡フレームに関し、特に、形状記憶合金等の超弾性材料を用いてソフトな装着感が得られる金属製又は樹脂製の眼鏡フレームに関する。
なお、本明細書において「眼鏡フレーム」という用語は、「眼鏡」の全体から「レンズ」を除いた部分を意味するものとして使用する。
【背景技術】
【０００２】
一般的な眼鏡フレームは、一対のレンズを備えるフロント部の両端部に、蝶番で連結されたテンプルを備えている。フロント部に環状のリムを備えるフルリムタイプや半環状のリムを備えるハーフリムタイプの眼鏡フレームにあっては、左右のリムが中央でブリッジにより連結され、両リムの端部にはヨロイが設けられ、各ヨロイに蝶番を介してテンプルが連結される。
【０００３】
また、リムを備えないツーポイントの眼鏡フレームにあっては、左右のレンズが中央でブリッジにより直接連結され、両レンズの端部にヨロイが直接設けられ、各ヨロイに蝶番を介してテンプルが連結される。
【０００４】
近年、ソフトな装着感を得るために、眼鏡フレームの素材として超弾性材料が使用されている。例えば、特許文献１には、Ｎｉ、Ｔｉ、Ｃｏ三元系の超弾性材、及びＮｉ、Ｔｉ二元系の超弾性材をブリッジ及びテンプルに用いる発明が記載され、冷間加工及び成形加工後の形状記憶熱処理に関する研究が記載されている。また、特許文献２には、フロントリムの合成樹脂材料に関する発明が記載されており、ポリアミド系の超弾性樹脂を用いることが記載されている。
【０００５】
「超弾性」は、力を加えると大きなひずみで変形し、その力を除くと元に戻る性質を示す用語として用いられている。通常の金属では０．５％以下のひずみでも回復することができないので、本明細書では、１．０％以上のひずみが完全に回復する材料を「超弾性材料」と称することとし、これには金属材料及び樹脂材料が含まれることとする。
【０００６】
超弾性材料を使用した眼鏡フレームは、従来の材料と比べて大きく曲げることができる弾性を備え、使用者に「しなやかな感じ」を与えることができる。そして、ソフトな装着感を与えることができる。しかしながら、従来の眼鏡フレームにおいては、ブリッジやテンプルの素材全体に超弾性材料を使用しているために、使用者の頭にしっかりと装着させることが難しいという問題がある。すなわち、素材がしなやかに変形するために、装着された眼鏡フレームが時間の経過とともに前へずり落ちてしまうのである。また、眼鏡フレームの掛け外しにおいて無意識に大きな力を掛けた場合や、不慮の衝突事故等によって、眼鏡フレームを大きく変形させてしまうことも少なくない。
【先行技術文献】
【特許文献】
【０００７】
【特許文献１】特開２００２−１８２１６２号公報
【特許文献２】特開２０１０−８５８９６号公報
【発明の概要】
【発明が解決しようとする課題】
【０００８】
この発明が解決しようとする課題は、左右のレンズがブリッジにより連結され、蝶番を介してテンプルが回動自在に取付けられている眼鏡フレームであって、超弾性材料を使用することによりソフトな装着感が得られ、使用者の頭にしっかりと装着され、時間が経過しても前へずり落ちることのない眼鏡フレームを提供することである。
【課題を解決するための手段】
【０００９】
本発明の請求項１に係る眼鏡フレームは、左右のレンズがブリッジにより連結され、蝶番を介してテンプルが回動自在に取付けられている眼鏡フレームであって、前記蝶番は、前記レンズに設けられた貫通孔に係止する係止部を備える一方の側と、超弾性材料製の接続部材を介して前記テンプルに接続される他方の側とが相互に回動するものであり、前記他方の側は、挿入孔を有する蝶番側固定部と該蝶番側固定部の外側に設けられる外枠とを備え、前記接続部材の一端が前記蝶番側固定部の前記挿入孔に挿入されることによって前記接続部材が前記蝶番に接続され、前記外枠が前記一方の側に延長されるとともに内側に湾曲され、前記テンプルを開いたときに、前記レンズの端部近傍において、前記外枠が前記係止部に当接する手段を採用している。
【００１０】
また、本発明の請求項２に係る眼鏡フレームは、請求項１に記載の眼鏡フレームにおいて、前記蝶番の他方の側が、前記蝶番側固定部とは別に、前記接続部材の一部を把持する蝶番側把持部を備えている手段を採用している。
【００１１】
また、本発明の請求項３に係る眼鏡フレームは、請求項１又は２に記載の眼鏡フレームにおいて、前記テンプルが、前記蝶番の側に挿入孔を有するテンプル側固定部を備え、前記接続部材の他端が前記テンプル側固定部の挿入孔に挿入されることにより、前記接続部材が前記テンプルに接続される手段を採用している。また、本発明の請求項４に係る眼鏡フレームは、請求項３に記載の眼鏡フレームにおいて、前記テンプルが、前記テンプル側固定部とは別に、前記接続部材の一部を把持するテンプル側把持部を備えている手段を採用している。
【００１２】
また、本発明の請求項５に係る眼鏡フレームは、請求項４に記載の眼鏡フレームにおいて、前記テンプルが芯金を備える樹脂製であり、前記テンプル側固定部及び前記テンプル側把持部が前記芯金に接続されている手段を採用している。
【発明の効果】
【００１３】
本発明の眼鏡フレームは、上記の手段を採用したことによって、両テンプルを接続部分において自由な方向にしなやかに曲げることができる。或いは、両テンプルを接続部分において捩じることができる。したがって超弾性材料特有のソフトな装着感を得ることができる。また、使用される超弾性材料が、眼鏡フレームのごく一部分に限定されていることにより、使用者の頭部にしっかりと装着され、時間が経過しても前へずり落ちることのない眼鏡フレームを提供することができる。
【図面の簡単な説明】
【００１４】
【図１】本発明の眼鏡フレームの一例を示す概略平面図である。
【図２】図１の眼鏡フレームの概略正面図である。
【図３】図１の眼鏡フレームの概略側面図である。
【図４】図１の眼鏡フレームの蝶番及び接続部材を示す部分平面図であり、（ａ）はテンプルを開いた状態を示し、（ｂ）はテンプルを閉じた状態を示す。
【図５】図１の眼鏡フレームの接続部材を示す部分図であり、（ａ）は平面図、（ｂ）は（ａ）のＡ−Ａ矢視側面図、（ｃ）は（ａ）のＢ−Ｂ矢視側面図である。
【図６】接続部材の取り付け方法を示す断面図であり、（ａ）は把持部を備える場合を示し、（ｂ）は把持部を備えない場合を示す。
【発明を実施するための形態】
【００１５】
図１は眼鏡フレーム１０の概略平面図であり、図２は眼鏡フレーム１０の概略正面図、図３は眼鏡フレーム１０の概略側面図である。
【００１６】
眼鏡フレーム１０は、リムを備えないツーポイントの眼鏡フレーム１０であって、左右のレンズ４０がブリッジ３０により連結され、蝶番６０を介してテンプル５０が回動自在に取付けられている。ブリッジ３０にはノーズパッド８０が取付けられている。眼鏡フレーム１０は、テンプル５０が樹脂製である場合を示しているが、テンプル５０を金属製とすることも可能である。
【００１７】
蝶番６０は一方の側に係止部６６を備え、係止部６６をレンズ４０に設けられた貫通孔（図は省略している。）に係止させることにより、蝶番６０をレンズ４０に接続することができる。そして、蝶番６０の他方の側とテンプル５０とが、超弾性材料製の接続部材２０によって接続されていることが本発明の特徴である。蝶番６０と接続部材２０との接続、及びテンプル５０と接続部材２０との接続には、螺合、かしめ、埋め込み等の一般的な方法を適宜採用することができる。
【００１８】
図４〜図６には、眼鏡フレーム１０における蝶番６０と接続部材２０との接続、及びテンプル５０と接続部材２０との接続についての具体例を示している。図４は、蝶番６０の回動を示す平面図であり、（ａ）はテンプル５０を開いた状態を示し、（ｂ）はテンプル５０を閉じた状態を示している。図５は、テンプル５０を開いた状態における詳細を示し、（ａ）は概略平面図、（ｂ）は（ａ）におけるＡ−Ａ矢視側面図、（ｃ）は（ａ）におけるＢ−Ｂ矢視側面図である。図６は接続部材２０の取付け方法を示し、（ａ）は眼鏡フレーム１０の例であり、（ｂ）はその他の例である。
【００１９】
眼鏡フレーム１０において、蝶番６０は、その一方の側に、レンズ４０に設けられた貫通孔に係止する係止部６６を備えている。係止部６６はねじ孔６８及びボルトナット９１を備えており、レンズ４０に適当な貫通孔を設けることにより、レンズ４０に固定することができる。そして、蝶番６０の他方の側は、超弾性材料製の接続部材２０によって、テンプル５０に接続されている。
【００２０】
眼鏡フレーム１０において、蝶番６０の他方の側は、挿入孔６２を有する蝶番側固定部６１を備え、接続部材２０の一端が挿入孔６２に挿入されることにより、接続部材２０が蝶番６０に接続されるようになっている。また、蝶番６０の他方の側は、蝶番側固定部６１とは別に、挿入孔６４を有して接続部材２０の一部を把持する蝶番側把持部６３を備えている。蝶番側固定部６１及び蝶番側把持部６３により、接続部材２０を好ましい状態で蝶番６０の他方の側に接続することができる。
また、蝶番６０の他方の側は、蝶番側固定部６１の外側に外枠６７が設けられている。そして、外枠６７は一方の側にまで延長されるとともに、内側に向けて湾曲されている。このため、テンプル５０を開いたときに、外枠６７の端部が、レンズ４０の端部近傍において、係止部６６に当接するようになっている。
【００２１】
眼鏡フレーム１０において、テンプル５０は、芯金５６を備える樹脂製として示されている。そして、芯金５６は、蝶番６０の側に挿入孔５２を有するテンプル側固定部５１を備え、接続部材２０の他端がテンプル側固定部５１の挿入孔５２に挿入されることにより、接続部材２０がテンプル５０に接続されるようになっている。また、芯金５６は、テンプル側固定部５１とは別に、挿入孔５４を有して接続部材２０の一部を把持するテンプル側把持部５３を備えている。テンプル側固定部５１及びテンプル側把持部５３により、接続部材２０を好ましい状態でテンプル５０に接続することができる。
【００２２】
接続部材２０は、超弾性材料製であって棒状をなしている。超弾性材料としては、特許文献１に記載された金属の超弾性材料や、特許文献２に記載された樹脂の超弾性材料など既知の素材を使用することができる。何れの場合も、通常の使用温度において超弾性を示す材料が選定され、例えば、変態温度が−２０〜０℃の超弾性合金を使用することができる。接続部材２０の断面形状及び断面の大きさはどの様であっても良いが、一定の大きさの円形とすることが好ましい。これにより、外力を受ける方向が限定されず、自由な方向に変形することが可能となる。
【００２３】
図６（ａ）に示すように、挿入孔６２に挿入された接続部材２０は、端部Ｘをスポット的に融着することにより、蝶番側固定部６１に接続することが好ましい。また、蝶番側把持部６３の挿入孔６４は、その孔径が接続部材２０の中心に向かって滑らかに拡大するように形成することが好ましい。このように形成することにより、接続部材２０が外力を受けたときに、滑らかに変形して局部的に大きな力を受けないようにすることができる。
【００２４】
同様に、挿入孔５２に挿入された接続部材２０は、端部Ｙをスポット的に融着することにより、テンプル側固定部５１に接続することが好ましい。また、テンプル側把持部５３の挿入孔５４は、その孔径が接続部材２０の中心に向かって滑らかに拡大するように形成することが好ましい。このように形成することにより、接続部材２０が外力を受けたときに、滑らかに変形して局部的に大きな力を受けないようにすることができる。
【００２５】
図６（ｂ）には、蝶番側把持部６３及びテンプル側把持部５３を備えない場合を例示している。この場合は、蝶番側固定部６１の挿入孔６２の孔径、及びテンプル側固定部５１の挿入孔５２の孔径が、接続部材２０の中心に向かって滑らかに拡大するように形成することが好ましい。このように形成することにより、接続部材２０が外力を受けたときに、滑らかに変形して局部的に大きな力を受けないようにすることができる。
【００２６】
本発明の眼鏡フレーム１０は、以上のような構成としたことにより超弾性材料の機能を十分に発揮させることが可能であり、しなやかな感じを与えることができる。そして、使用者にソフトな装着感を与えることができる。また、眼鏡フレーム１０は、超弾性材料が蝶番６０とテンプル５０との接続部分に限定されて使用されているので、使用者の頭にしっかりと装着させることができ、時間が経過しても前へずり落ちることがない。また、掛け外しにおける無意識の力や事故によっても、変形することが少ない。
【符号の説明】
【００２７】
１０    眼鏡フレーム
２０    接続部材
３０    ブリッジ
４０    レンズ
５０    テンプル
５１    テンプル側固定部
５２、６２    挿入孔
５３    テンプル側把持部
５６    芯金
６０    蝶番
６１    蝶番側固定部
６３    蝶番側把持部
６６    係止部
６７    外枠
【図１】
0005688304.tif 000002
【図２】
0005688304.tif 000003
【図３】
0005688304.tif 000004
【図４】
0005688304.tif 000005
【図５】
0005688304.tif 000006
【図６】
0005688304.tif 000007